(57)【要約】【課題】  容易に構成することができ，かつ巡回情報を柔軟に生成・変更することの可能な巡回認証システムを提供する。【解決手段】  本発明にかかる巡回認証システムは，チェックポイントを巡回するための巡回情報を提供し，チェックポイントを巡回したことを認証するシステムであり，巡回情報を提供する巡回認証サーバ２００と，巡回認証サーバ２００から巡回情報を受信する少なくとも１つの利用者端末３００とを含む。巡回認証サーバ２００は，チェックポイントを示すチェックポイント情報を，各チェックポイントに付与されたチェックポイントＩＤと関連付けて記憶するチェックポイント情報記憶部２７０と，巡回情報を利用者端末３００ごとに生成する巡回情報生成部２２０と，生成された巡回情報を利用者端末３００へ送信する巡回情報送信部２３０とを備える。利用者端末３００は，巡回認証サーバ２００から巡回情報を受信する巡回情報受信部３１０を備える。【選択図】    図５
2007293534.tif 000002
【特許請求の範囲】
【請求項１】
ユーザが所定の場所に設置された１または２以上のチェックポイントを巡回するための巡回情報を提供し，ユーザが前記チェックポイントを巡回したことを認証する巡回認証システムであって：
前記巡回情報を提供する巡回認証サーバと，前記巡回認証サーバから前記巡回情報を受信する少なくとも１つの利用者端末とを含み，
前記巡回認証サーバは，
チェックポイントを示すチェックポイント情報を，各チェックポイントに付与されたチェックポイントＩＤと関連付けて記憶するチェックポイント情報記憶部と；
前記チェックポイント情報記憶部に記憶された前記チェックポイント情報を選択し，前記巡回情報を前記利用者端末ごとに生成する巡回情報生成部と；
前記生成された巡回情報を前記利用者端末へ送信する巡回情報送信部と；
を備え，
前記利用者端末は，前記巡回認証サーバから前記巡回情報を受信する巡回情報受信部を備えることを特徴とする，巡回認証システム。
【請求項２】
前記巡回認証サーバの前記チェックポイント情報記憶部に記憶するための前記チェックポイント情報を収集する情報収集装置をさらに含み，
前記情報収集装置は，収集した前記チェックポイント情報を前記巡回認証サーバに送信するチェックポイント情報送信部を備え，
前記巡回認証サーバは，前記情報収集装置から前記チェックポイント情報を受信するチェックポイント情報受信部を備えることを特徴とする，請求項１に記載の巡回認証システム。
【請求項３】
前記情報収集装置は，所定の時間ごとにチェックポイント情報を収集することを特徴とする，請求項１または２に記載の巡回認証システム。
【請求項４】
前記巡回認証サーバの前記チェックポイント情報記憶部は，１つのチェックポイントに対して複数のチェックポイント情報を記憶することを特徴とする，請求項１または２に記載の巡回認証システム。
【請求項５】
前記チェックポイント情報は，少なくとも画像データを含むことを特徴とする，請求項１〜４のいずれかに記載の巡回認証システム。
【請求項６】
前記情報収集装置は，チェックポイントを撮像する撮像部を備えることを特徴とする，請求項５に記載の巡回認証システム。
【請求項７】
前記チェックポイント情報は，少なくとも音声データを含むことを特徴とする，請求項１〜６のいずれかに記載の巡回認証システム。
【請求項８】
前記情報収集装置は，チェックポイントの音声を収集するマイクを備えることを特徴とする，請求項７に記載の巡回認証システム。
【請求項９】
前記利用者端末は，
ユーザがチェックポイントに到達したことを証明する認証情報を取得するための認証情報取得部と，
前記認証情報取得部が取得した認証情報を，前記巡回認証サーバへ送信する認証情報送信部と，
を備え，
前記巡回認証サーバは，
前記利用者端末から前記認証情報を受信する認証情報受信部と，
前記認証情報受信部により受信した認証情報と，前記チェックポイント情報記憶部に記憶されたチェックポイント情報とを照合する巡回認証部と，
を備えることを特徴とする，請求項１〜８のいずれかに記載の巡回認証システム。
【請求項１０】
前記各チェックポイントには，チェックポイントを特定するための認証情報を有するＩＣタグが設けられ，
前記利用者端末の前記認証情報取得部は，ＩＣタグに記憶された認証情報を取得することを特徴とする，請求項９に記載の巡回認証システム。
【請求項１１】
前記利用者端末の前記認証情報取得部は，チェックポイントを撮像して画像データを生成し，
前記利用者端末の前記認証情報送信部は，前記生成された画像データを認証情報として，前記巡回認証サーバに送信することを特徴とする，請求項９に記載の巡回認証システム。
【請求項１２】
前記利用者端末の前記認証情報取得部は，チェックポイントの音声を収集して音声データを生成し，
前記利用者端末の前記認証情報送信部は，前記生成された音声データを認証情報として，前記巡回認証サーバに送信することを特徴とする，請求項９に記載の巡回認証システム。
【請求項１３】
ユーザが所定の場所に設置された１または２以上のチェックポイントを巡回するための巡回情報を提供する巡回認証サーバから，前記巡回情報を受信する巡回情報受信部を備える少なくとも１つの携帯情報端末であって，
前記巡回認証サーバは，
チェックポイントを示すチェックポイント情報を，各チェックポイントに付与されたチェックポイントＩＤと関連付けて記憶するチェックポイント情報記憶部と；
前記チェックポイント情報記憶部に記憶された前記チェックポイント情報を選択し，前記巡回情報を前記携帯情報端末ごとに生成する巡回情報生成部と；
前記生成された巡回情報を前記携帯情報端末へ送信する巡回情報送信部と；
を備えることを特徴とする，携帯情報端末。
【発明の詳細な説明】
【技術分野】
【０００１】
本発明は，巡回認証システムおよび携帯情報端末に関し，より詳細には，画像や音声を利用した巡回認証システムおよび携帯情報端末に関する。
【背景技術】
【０００２】
巡回認証システムとして，例えば，参加者にスタンプラリーカードを渡し，特定のチェックポイントを巡回して認証を行うスタンプラリーと呼ばれる企画が，販売促進・広告宣伝の一手法として広く実施されている。例えば，鉄道会社であれば，スタンプラリーカードに示された特定駅にスタンプを設置し，台紙に一定数のスタンプを巡回して集めることにより巡回認証を行うようなスタンプラリーを構築している。他にも，アミューズメント施設，ショッピングモール，商店街等でも，ルールや実施方法を適宜変更して実施されている。
【０００３】
近年では，特許文献１に開示されるように，スタンプカードにスタンプを押す行為に代わって，携帯電話にスタンプラリーの各チェックポイントに掲示された合言葉を入力することにより，スタンプラリーを実施する方法が行われるようになってきている。
【０００４】
【特許文献１】特開２００３−８５３２４号公報
【発明の開示】
【発明が解決しようとする課題】
【０００５】
しかし，上述した従来のスタンプラリーでは，チェックポイントとなる場所に，予めスタンプ等の設置をしたり，合言葉を掲示しなければならず，スタンプラリーを実施するには大掛かりな準備が必要であった。このため，容易にスタンプラリーを構築することは困難であった。
【０００６】
そこで，本発明は，上記問題に鑑みてなされたものであり，本発明の目的とするところは，容易に構成することができ，かつ巡回情報を柔軟に生成・変更することの可能な，新規かつ改良された巡回認証システムを提供することにある。
【課題を解決するための手段】
【０００７】
上記課題を解決するために，本発明のある観点によれば，ユーザが所定の場所に設置された１または２以上のチェックポイントを巡回するための巡回情報を提供し，ユーザがチェックポイントを巡回したことを認証する巡回認証システムが提供される。巡回認証システムは，巡回情報を提供する巡回認証サーバと，巡回認証サーバから巡回情報を受信する少なくとも１つの利用者端末とを含んでなる。巡回認証サーバは，チェックポイントを示すチェックポイント情報を，各チェックポイントに付与されたチェックポイントＩＤと関連付けて記憶するチェックポイント情報記憶部と，チェックポイント情報記憶部に記憶されたチェックポイント情報を選択し，巡回情報を利用者端末ごとに生成する巡回情報生成部と，生成された巡回情報を利用者端末へ送信する巡回情報送信部とを備える。また，利用者端末は，巡回認証サーバから巡回情報を受信する巡回情報受信部を備えることを特徴とする。
【０００８】
かかる構成によれば，巡回認証サーバから利用者端末に提供される巡回情報は，利用者端末ごとに，チェックポイント情報記憶部に記憶されたチェックポイント情報を選択して生成される。これにより，巡回情報をユーザに応じて柔軟に作成したり，変更したりすることが可能となる。
【０００９】
また，巡回認証システムは，巡回認証サーバのチェックポイント情報記憶部に記憶するためのチェックポイント情報を収集する情報収集装置をさらに含んでもよい。この情報収集装置は，収集したチェックポイント情報を巡回認証サーバに送信するチェックポイント情報送信部を備える。そして，巡回認証サーバは，情報収集装置からチェックポイント情報を受信するために，チェックポイント情報受信部を備える。ここで，情報収集装置は，巡回認証システムに新たに設ける必要はなく，例えば，常時設置されたカメラやマイク等を用いることができる。これにより，予めチェックポイントを設置せずとも，常時設置された情報収集装置からチェックポイント情報を取得して，スタンプラリーシステムを構築し，実施することができる。
【００１０】
ここで，情報収集装置は，所定の時間ごとにチェックポイント情報を収集するように設定してもよい。このようにチェックポイント情報を取得することにより，利用者端末にほぼリアルタイムの情報を送信することが可能となる。また，巡回認証サーバのチェックポイント情報記憶部には，１つのチェックポイントに対して複数のチェックポイント情報を記憶することもできる。例えば時間や季節等により変化するチェックポイント情報である場合には，様々なパターンのチェックポイント情報をチェックポイント情報記憶部に記憶することにより，その誤差を吸収することが可能となる。
【００１１】
チェックポイント情報としては，例えば，画像データを含むことができる。この場合，情報収集装置は，チェックポイントを撮像する撮像部を備える。さらに，チェックポイント情報に，音声データを含んでもよい。この場合，情報収集装置は，チェックポイントの音声を収集するマイクを備える。このように，チェックポイント情報として画像データや音声データを用いることにより，ユーザに画像や音声によりチェックポイント情報を提示することが可能となる。
【００１２】
また，利用者端末は，ユーザがチェックポイントに到達したことを証明する認証情報を取得するための認証情報取得部と，認証情報取得部が取得した認証情報を，巡回認証サーバへ送信する認証情報送信部とを備えることができる。このとき，巡回認証サーバは，利用者端末から認証情報を受信する認証情報受信部と，認証情報受信部により受信した認証情報とチェックポイント情報記憶部に記憶されたチェックポイント情報とを照合する巡回認証部とを備える。
【００１３】
例えば，各チェックポイントに，チェックポイントを特定するための認証情報を有するＩＣタグを設け，利用者端末の認証情報取得部により，ＩＣタグに記憶された認証情報を取得するようにして認証処理を行うこともできる。
【００１４】
また，利用者端末の認証情報取得部により，チェックポイントを撮像して画像データを生成し，利用者端末の認証情報送信部によって，生成された画像データを認証情報として巡回認証サーバに送信し，認証処理を行うこともできる。
【００１５】
一方，利用者端末の認証情報取得部により，チェックポイントの音声を収集して音声データを生成し，利用者端末の認証情報送信部によって，生成された音声データを認証情報として巡回認証サーバに送信し，認証処理を行うこともできる。
【００１６】
また，上記課題を解決するために，本発明の別の観点によれば，ユーザが所定の場所に設置された１または２以上のチェックポイントを巡回するための巡回情報を提供する巡回認証サーバから，巡回情報を受信する巡回情報受信部を備える少なくとも１つの携帯情報端末が提供される。このとき，巡回認証サーバは，チェックポイントを示すチェックポイント情報を，各チェックポイントに付与されたチェックポイントＩＤと関連付けて記憶するチェックポイント情報記憶部と，チェックポイント情報記憶部に記憶されたチェックポイント情報を選択し，巡回情報を携帯情報端末ごとに生成する巡回情報生成部と，生成された巡回情報を携帯情報端末へ送信する巡回情報送信部とを備える。
【発明の効果】
【００１７】
以上説明したように本発明によれば，容易に構成することができ，かつ巡回情報を柔軟に生成・変更することの可能な巡回認証システムを提供することができる。
【発明を実施するための最良の形態】
【００１８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１９】
（第１の実施形態）
まず，図１に基づいて，本発明の第１の実施形態にかかる巡回認証システムの概略について説明する。ここでは，動物園におけるスタンプラリーの実施について説明する。なお，図１は，本実施形態にかかる巡回認証システムの概略構成を示す説明図である。
【００２０】
本実施形態にかかる巡回認証システムは，図１に示すように，１または２以上の情報収集装置１００と，巡回認証サーバ２００と，少なくとも１つの利用者端末３００とを備える。
【００２１】
情報収集装置１００は，ユーザが巡回認証を行うための場所として設定された所定の場所（以下，「チェックポイント」という。）に設置された装置であり，例えば動物園では展望台や動物舎等に設置することができる。各情報収集装置１００には，チェックポイントの映像（静止画または動画）を取得するためのカメラ１１０や，チェックポイントの音声を取得するためのマイク１２０が設置されている。情報収集装置１００は，例えば動物舎内の様子を監視することを目的として設置された監視カメラ等，既存の装置を使用することができるが，スタンプラリーの企画のために新たに設置してもよい。
【００２２】
巡回認証サーバ２００は，各情報収集装置１００により収集された各チェックポイントを示すチェックポイント情報を記憶し，また，チェックポイント情報からユーザが巡回する場所を示す巡回情報を生成するサーバである。巡回認証サーバ２００は，生成された巡回情報を利用者端末３００に送信し，利用者端末３００からの要求に応じて，各チェックポイントのチェックポイント情報を，利用者端末３００へ送信する。また，巡回認証サーバ２００は，利用者端末３００から認証情報を受信して，ユーザがチェックポイントに到達したか否かを判定する認証処理を行う。
【００２３】
利用者端末３００は，巡回認証サーバ２００から巡回情報を受信するための端末であり，ユーザは，利用者端末３００の表示部３３１を介して巡回情報を知ることができる。また，利用者端末３００は，巡回情報サーバ２００に対してチェックポイントに関する詳細な情報を要求することにより，チェックポイントのチェックポイント情報を取得することができる。利用者端末３００としては，例えば携帯電話やＰＤＡ，ユビキタスコミュニケータ等の無線通信可能な携帯情報端末を用いることができる。ユーザは，巡回認証サーバ２００から受信した巡回情報およびチェックポイント情報に基づいて，チェックポイントを巡回する。
【００２４】
ユーザは，チェックポイントに到達すると，利用者端末３００を用いて，チェックポイントに到達したことを証明するための認証情報をチェックポイントから取得する。取得された認証情報は，利用者端末３００から巡回認証サーバ２００へ送信されて，巡回認証サーバ２００に記憶されたチェックポイント情報と照合され，認証の可否について判定される。認証されれば，チェックポイントに到達したことが確定する。
【００２５】
次に，図２〜図４に基づいて，本実施形態にかかる巡回認証システムの構成について説明する。ここで，図２は，本実施形態にかかる巡回認証システムの構成を示すブロック図である。図３は，巡回情報データベース２６０の記憶内容を示す説明図である。図４は，チェックポイントデータベース２７０の記憶内容を示す説明図である。
【００２６】
まず，本実施形態にかかる巡回認証システムを構成する情報収集装置１００は，図２に示すように，カメラ１１０と，マイク１２０と，チェックポイント情報生成部１３０と，チェックポイント情報送信部１４０とを備える。
【００２７】
カメラ１１０およびマイク１２０は，チェックポイントに設置され，チェックポイント周辺の映像および音声を取得する。例えば，展望台に設置されたカメラ１１０は展望台からの眺めを撮像し，ライオン舎に設置されたカメラ１１０はライオン舎の様子を撮像し，鳥類舎に設置されたカメラ１１０は鳥類舎の様子を撮像する。また，マイク１２０は，ライオン舎に設置されたマイク１２０はライオンの鳴き声を取得し，鳥類舎に設置されたマイク１２０は鳥の鳴き声を取得する。このようにしてカメラ１１０やマイク１２０により取得された映像や音声は，チェックポイントを示すチェックポイント情報として使用される。
【００２８】
チェックポイント情報生成部１３０は，カメラ１１０やマイク１２０によって取得した映像や音声にもとづいて，巡回認証サーバ２００へ送信するチェックポイント情報を生成する機能部である。
【００２９】
チェックポイント情報送信部１４０は，チェックポイント情報生成部１３０にて生成されたチェックポイント情報を，巡回認証サーバ２００へ送信する機能部である。
【００３０】
また，各チェックポイントには，チェックポイントを特定する固有の情報を記憶するＩＣタグが設けられる。ＩＣタグ１５０には，例えば各チェックポイントに付与されたチェックポイントＩＤを記憶することができ，ＩＣタグ１５０の記憶する情報は，ユーザがチェックポイントに到達したことを証明するために認証情報として用いられる。なお，本実施形態では，ＩＣタグ１５０を用いたが，本発明はかかる例に限定されず，例えば，バーコード，二次元コード，あるいはチェックポイントＩＤを発するビーコン等を用いてもよい。
【００３１】
次に，巡回認証サーバ２００は，図２に示すように，チェックポイント情報受信部２１０と，巡回情報生成部２２０と，巡回情報送受信部２３０と，認証情報送受信部２４０と，巡回情報認証部２５０と，巡回情報データベース２６０と，チェックポイントデータベース２７０とを備える。
【００３２】
チェックポイント情報受信部２１０は，情報収集装置１００のチェックポイント情報送信部１４０からチェックポイント情報を受信する機能部である。チェックポイント情報受信部２１０は，チェックポイント情報を受信すると，後述するチェックポイントデータベース２７０にチェックポイント情報を記憶する。
【００３３】
巡回情報生成部２２０は，チェックポイントデータベース２７０に記憶されたチェックポイントから，１または２以上のチェックポイントを選択し，ユーザが巡回すべきチェックポイントを示す巡回情報を生成する機能部である。巡回情報は，本実施形態において，スタンプラリーのスタンプカードに相当する情報である。巡回すべきチェックポイントの選択は，任意の数だけ，ランダムあるいはスタンプラリー主催者によって行うことができる。また，巡回情報生成部２２０は，生成された巡回情報を巡回情報データベース２６０に記憶する。
【００３４】
巡回情報送受信部２３０は，巡回情報生成部２２０にて生成された巡回情報を利用者端末３００へ送信する機能部である。また，巡回情報送受信部２３０は，利用者端末３００からチェックポイント情報の要求を受けて，チェックポイントデータベース２７０に記憶されたチェックポイント情報を取得し，利用者端末３００へ送信する機能部でもある。
【００３５】
認証情報送受信部２４０は，利用者端末３００から認証情報を受信し，受信した認証情報を巡回情報認証部２５０に送信する機能部である。また，認証情報送受信部２４０は，巡回情報認証部２５０による認証結果を利用者端末３００へ送信する機能部でもある。
【００３６】
巡回情報認証部２５０は，ユーザがチェックポイントに到達したことを認証するために，認証情報の照合を行う機能部である。巡回情報認証部２５０は，認証情報送受信部２４０から受信した認証情報と，巡回情報データベース２６０に記憶されたチェックポイント情報とを照合し，これらの情報が一致した場合にはチェックポイントに到達したことを認証する。
【００３７】
巡回情報データベース２６０は，巡回情報生成部２２０にて作成された巡回情報を，スタンプラリーに参加するユーザのユーザＩＤと関連付けて記憶する記憶部であり，例えばＲＡＭやハードディスク等のメモリを含んで構成される。巡回情報データベース２６０は，例えば，図３に示すように，ユーザＩＤ２６１，各チェックポイントに付与された，特定の場所を表すユニークなチェックポイントＩＤ２６２，各チェックポイントを巡回したか否かを示す巡回状況２６３等の巡回情報を記憶している。
【００３８】
チェックポイントデータベース２７０は，チェックポイントを示すチェックポイント情報を記憶する記憶部であり，例えばＲＡＭやハードディスク等のメモリを含んで構成される。チェックポイントデータベース２７０は，例えば，図４に示すように，タイムスタンプ２５１，チェックポイントＩＤ２５２，画像データファイル名２５３，音声データファイル名２５４等のチェックポイント情報を記憶している。
【００３９】
次に，利用者端末３００は，図２に示すように，巡回情報送受信部３１０と，制御部３２０と，表示部３３１と，スピーカー３３３と，操作部３３５と，認証情報読取部３４０と，認証情報送受信部３５０とを備える。
【００４０】
巡回情報送受信部３１０は，巡回認証サーバ２００の巡回情報送受信部２３０から巡回情報を受信する機能部である。また，操作部３３５からの入力情報に応じて，巡回情報またはチェックポイント情報を取得するための要求を巡回認証サーバ２００に送信する機能部でもある。
【００４１】
制御部３２０は，利用者端末３００内の各機能部を制御する機能部である。例えば，巡回認証サーバ２００から受信した巡回情報またはチェックポイント情報を，表示部３３１またはスピーカー３３３から提示するよう制御したり，認証情報読取部３４０により読み取ったＩＣタグ１５０の情報を，巡回認証サーバ２００へ送信するよう認証情報送受信部３５０を制御したりする。
【００４２】
表示部３３１は，映像を表示させる例えばディスプレイ等であり，巡回情報やチェックポイント情報を表示する機能部である。また，表示部３３１は，ユーザが指などでディスプレイ表面に触れることで各種操作を行うことの可能なタッチパネル方式を採用することもできる。この場合，表示部３３１は，操作部として機能することもできる。また，スピーカー３３３は，音声をユーザに提示するための機能部である。さらに，操作部３３５は，ユーザが情報の選択等を行うための機能部であり，例えば，表示部３３１に表示された内容を選択するための選択ボタン等からなる（図１参照）。
【００４３】
認証情報読取部３４０は，各チェックポイントに設けられたＩＣタグ１５０から認証情報を取得するための機能部である。認証情報読取部３４０には，例えば，アンテナを内蔵し，電波で電力と信号をやり取りする非接触型のリーダライタを用いることができる。
【００４４】
認証情報送受信部３５０は，チェックポイントから取得した認証情報を認証するために，巡回認証サーバ２００へ認証情報を送信する機能部である。また，認証情報送受信部３５０は，巡回情報サーバ２００における認証情報の認証結果を受信する機能部でもある。
【００４５】
以上，本実施形態にかかる巡回認証システムの構成について説明した。次に，図５および図６に基づいて，本実施形態にかかる巡回認証処理について説明する。ここで，図５は，本実施形態にかかる巡回認証処理を示すフローチャートである。図６は，利用者端末３００の表示部３３１に表示される表示画面の例であり，（ａ）は巡回情報の表示例であり，（ｂ）はチェックポイント情報の表示例である。
【００４６】
本実施形態にかかる巡回認証処理では，図５に示すように，まず，スタンプラリーの各チェックポイントにおいて，情報収集装置１００によりチェックポイントを示すチェックポイント情報が取得され，巡回認証サーバ２００に送信される（Ｓ１０１）。各チェックポイントには，カメラ１１０やマイク１２０を備える情報収集装置１００が設けられており，これらを用いて，チェックポイントを撮像してチェックポイント周辺の映像を取得したり，チェックポイント周辺で聞こえる音声を取得することができる。カメラ１１０やマイク１２０によって取得した映像または音声は，チェックポイントを示すチェックポイント情報として使用することができる。また，情報収集装置１００によるチェックポイント情報の収集は，所定の時間，例えば５分ごとに取得するものとする。
【００４７】
次いで，チェックポイント情報を受信した巡回認証サーバ２００は，チェックポイントデータベース２７０に，受信したチェックポイント情報を記憶する（Ｓ１０３）。各チェックポイントに設置された情報収集装置１００のカメラ１１０およびマイク１２０によって取得した映像および音声は，各チェックポイントにユニークに付与されたチェックポイントＩＤ２７２と関連付けて，データ更新時間を表すタイムスタンプ２７１とともにチェックポイントデータベース２７０に記憶される。チェックポイントデータベース２７０の更新は，ステップＳ１０１におけるチェックポイント情報収集のタイミングとほぼ同じとすることができ，カメラ１１０やマイク１２０によって映像または音声が取得されると，かかるチェックポイント情報が巡回認証サーバ２００に送信され，巡回認証サーバ２００は，チェックポイントデータベース２７０に記憶されたチェックポイント情報を更新する。
【００４８】
さらに，巡回認証サーバ２００は，チェックポイントデータベース２７０に記憶されたチェックポイント情報から，ユーザを巡回させるチェックポイントを選択して巡回情報を生成し，利用者端末３００に送信する（Ｓ１０５）。上述したように，巡回情報は，例えばチェックポイントデータベース２７０に記憶されたチェックポイント情報をランダムに，所定の数だけ選択することにより生成することができる。あるいは，スタンプラリー主催者に，ユーザを巡回させたいチェックポイントを任意の数だけ選択させるようにしてもよい。このように，チェックポイント情報を組み合わせることにより，巡回認証を生成することができる。
【００４９】
例えば，チェックポイントデータベース２７０の中から，第１チェックポイントに展望台，第２チェックポイントにライオン舎，第３チェックポイントに鳥類舎を選択したとする。このとき，スタンプラリーのスタンプカードに相当する巡回情報は，第１〜第３の３つのチェックポイントを巡回することを示す情報となる。そして，生成された巡回情報は，巡回情報データベース２６０にユーザＩＤと関連付けて記憶されるとともに，利用者端末３００へ送信される。
【００５０】
その後，巡回情報を受信した利用者端末３００は，例えば利用者端末３００の表示部３３１に巡回情報を表示する（Ｓ１０７）。巡回情報は，例えば図６（ａ）に示すように表示部３３１に表示され，３つのチェックポイントを巡回することがユーザに提示される。このとき，表示部３３１に，例えば各チェックポイントの映像を表示させてもよい。
【００５１】
次いで，ユーザは，利用者端末３００の表示部３３１に表示された巡回情報から，巡回するチェックポイントを選択し，そのチェックポイントを示すチェックポイント情報の送信を巡回認証サーバ２００に要求する（Ｓ１０９）。チェックポイントの選択は，例えば，操作部３３５の選択ボタンにより行うこともでき，表示部３３１がタッチパネル方式を採用したディスプレイであれば，選択したい領域を指などで触れることにより選択することもできる。また，チェックポイント情報の要求の際に巡回情報サーバ２００へ送信される情報は，ユーザＩＤおよび選択したチェックポイントである。例えば，図６（ａ）に示す第１チェックポイントを選択したとすると，ユーザＩＤおよび第１チェックポイントを選択したという内容が，巡回認証サーバ２００へ送信される。
【００５２】
チェックポイント情報の要求を受けた巡回認証サーバ２００は，チェックポイントデータベース２７０に記憶されたチェックポイント情報を利用者端末３００に送信する（Ｓ１１１）。ステップＳ１１１において，巡回認証サーバ２００は，まず，ユーザＩＤおよび選択したチェックポイントに基づいて，チェックポイント情報を取得しようとしているチェックポイントＩＤを，巡回情報データベース２６０から取得する。そして，チェックポイントＩＤに関連付けられたチェックポイント情報を，チェックポイントデータベース２７０から取得する。
【００５３】
例えば，利用者端末３００からユーザＩＤ「０００１」および第１チェックポイントを選択したという内容を受信したとすると，巡回認証サーバ２００は，図７に示すように，巡回情報データベース２６０から，第１チェックポイントのチェックポイントＩＤ「００１」を取得する。そして，チェックポイントＩＤ「００１」に関連付けられた映像データおよび／または音声データをチェックポイント情報としてチェックポイントデータベース２７０から取得する。このようにして，巡回認証サーバ２００はチェックポイント情報を取得し，利用者端末３００へ送信する。
【００５４】
その後，チェックポイント情報を受信した利用者端末３００は，チェックポイント情報をユーザに提示する（Ｓ１１３）。チェックポイント情報は，利用者端末３００の表示部３３１やスピーカー３３３を介して，映像や音声としてユーザに提示される。例えば図６（ｂ）に示すように，第１チェックイポイントのチェックポイント情報として，情報収集装置１００のカメラ１１０により撮像した静止画が，利用者端末３００の表示部３３１に表示される。ユーザは，提示された静止画を頼りにチェックポイントを探す。
【００５５】
ここで，第１チェックポイントのチェックポイント情報は静止画であったが，例えば，第２チェックポイントではライオン舎の動画，第３チェックポイントでは鳥類舎の音声等のように，ユーザに提示するチェックポイント情報をチェックポイントの特徴に応じて選択することができる。また，ステップＳ１０９〜Ｓ１１３の処理は，詳細な情報が必要な場合に行えばよいので，省略することも可能である。
【００５６】
次いで，ユーザは，チェックポイントに到達すると（Ｓ１１５），チェックポイントに到達したことを証明するために，利用者端末３００を用いて認証処理を行う（Ｓ１１７）。本実施形態では，チェックポイントを特定するための情報としてチェックポイントＩＤを記憶するＩＣタグ１５０が各チェックポイントに設けられており，このＩＣタグ１５０に対して利用者端末３００をかざすことにより，ＩＣタグ１５０に記憶されたチェックポイントＩＤを取得することができる。利用者端末３００に取得されたチェックポイントＩＤは，認証情報としてユーザＩＤとともに巡回認証サーバ２００へ送信される。
【００５７】
さらに，利用者端末３００から認証情報を受信した巡回認証サーバ２００は，巡回情報データベース２６０に記憶されたチェックポイントＩＤと認証情報とを照合する（Ｓ１１９）。巡回情報データベース２６０に記憶されたチェックポイント情報と認証情報とが一致すると判定された場合には，チェックポイントに到達したことが認証され，一致しなかった場合には，チェックポイントに到達したとは認証されない。
【００５８】
例えば，利用者端末３００から送信された情報が，ユーザＩＤ「０００１」，ＩＣタグ１５０から取得したチェックポイントＩＤ「００１」であるとき，ユーザＩＤ「０００１」に関連付けられて巡回情報データベース２６０に記憶されたチェックポイントＩＤの中に「００１」があれば，チェックポイントに到達したと認証される。一方，ユーザＩＤ「０００１」に関連付けられて巡回情報データベース２６０に記憶されたチェックポイントＩＤの中に「００１」がない場合は，チェックポイントに到達したとはされない。
【００５９】
ステップＳ１１９において，チェックポイント情報に到達したと認証された場合，巡回認証サーバ２００は，チェックポイントに到達したとの内容を巡回情報データベース２６０に反映する（Ｓ１２１）。すなわち，図３に示す巡回情報データベース２６０の巡回状況２６３を，認証されたチェックポイントについては「未」から「済」に更新する処理を行う。これにより，巡回情報は，スタンプが押されたスタンプカードに相当する状態となる。
【００６０】
その後，巡回認証サーバ２００は，認証結果を利用者端末３００へ送信する（Ｓ１２３）。認証結果は，利用者端末３００の表示部３３１やスピーカー３３３により通知することができる。これにより，利用者端末３００は，チェックポイントに到達したことを認識できる。
【００６１】
以上，第１の実施形態にかかる巡回認証システムの構成と，これを用いた巡回認証処理について説明した。かかる構成により，予めチェックポイントを設置せずとも，常時設置されたカメラやマイク等の情報収集装置からチェックポイント情報を取得して，スタンプラリーシステムを構築し，実施することができる。また，従来のスタンプラリーでは，チェックポイントの変更・増減や，ユーザによってチェックポイントを変更させることは困難であるが，本実施形態によれば，これらを自由に設定することが可能である。さらに，従来のスタンプラリーでは，チェックポイントに関する情報はスタンプカードに文字で明示されているだけであり，チェックポイントを探す楽しみが薄い。しかし，第１の実施形態によれば，映像や音声をヒントにして場所を探すという楽しみを付加することができる。
【００６２】
（第２の実施形態）
次に，図７および図８に基づいて，本発明の第２の実施形態にかかる巡回認証システムについて説明する。本実施形態にかかる巡回認証システムでは，利用者端末３００に内蔵もしくは付加したカメラ３６０によって撮像した画像を認証情報とする点で，第１の実施形態にかかる巡回認証システムと相違する。そこで，以下では，第１の実施形態との相違点について主に説明する。なお，図７は，本実施形態にかかる巡回認証システムの構成を示すブロック図である。図８は，本実施形態にかかる巡回認証処理を示すフローチャートである。
【００６３】
まず，図７に基づいて，本実施形態にかかる巡回認証システムの構成について説明する。なお，第１の実施形態にかかる情報収集装置１００，巡回認証サーバ２００，利用者端末３００と同様の機能を有するものについては，同一の符号を付しており，説明を省略する。
【００６４】
情報収集装置１００は，カメラ１１０と，マイク１２０と，チェックポイント情報生成部１３０と，チェックポイント情報送信部１４０とを備える。本実施形態にかかる巡回認証システムでは，上述したように，利用者端末３００のカメラ３６０によって撮像した画像を認証情報とするため，第１の実施形態のように認証情報を記憶するＩＣタグ１５０を設ける必要はない。
【００６５】
巡回認証サーバ２００は，チェックポイント情報受信部２１０と，巡回情報生成部２２０と，巡回情報送受信部２３０と，認証情報送受信部２４０と，巡回情報認証部２８０と，巡回情報データベース２６０と，チェックポイントデータベース２７０とを備える。
【００６６】
本実施形態にかかるチェックポイントデータベース２７０には，第１の実施形態と同様，各チェックポイントにおいて情報収集装置１００により取得したチェックポイント情報が記憶されるが，本実施形態では，１つのチェックポイントに対して複数のチェックポイント情報が記憶されている。上述したように，本実施形態では，画像を認証情報として用いるため，利用者端末３００により撮像される画像は，例えば撮影する時間や季節，角度によって変化する。したがって，１つのチェックポイントについて複数パターンの画像を予めチェックポイントデータベース２７０に記憶しておくことで，利用者端末３００により撮像された画像の認証を行う際，時間や季節，角度によって生じる画像の誤差を吸収することができる。
【００６７】
また，巡回情報認証部２８０は，ユーザがチェックポイントに到達したことを認証するために，認証情報の照合を行う機能部である。本実施形態にかかる巡回情報認証部２８０は，利用者端末３００により取得した画像を認識し，チェックポイントデータベース２７０に記憶された複数の画像と照合させることにより，チェックポイントに到達したか否かを判定する。
【００６８】
利用者端末３００は，巡回情報送受信部３１０と，制御部３２０と，表示部３３１と，スピーカー３３３と，操作部３３５と，カメラ３６０と，認証情報送受信部３５０とを備える。本実施形態では，ユーザがチェックポイントに到達したことを証明するための認証情報として，利用者端末３００により取得した画像を用いるため，カメラ３６０を備えている。
【００６９】
次に，図８に基づいて，本実施形態にかかる巡回認証処理について説明する。なお，第１の実施形態にかかる巡回認証処理と同様の処理を行う工程については，詳細な説明を省略する。
【００７０】
本実施形態にかかる巡回認証処理では，図８に示すように，まず，スタンプラリーの各チェックポイントにおいて，情報収集装置１００によりチェックポイントを示すチェックポイント情報が取得され，巡回認証サーバ２００に送信される（Ｓ２０１）。そして，チェックポイント情報を受信した巡回認証サーバ２００は，チェックポイントデータベース２７０に，受信したチェックポイント情報を記憶する（Ｓ２０３）。本実施形態では，上述したように，撮像した時間や季節，角度等の異なる複数の画像を予め取得して，チェックポイントデータベースに記憶する。
【００７１】
次いで，巡回認証サーバ２００は，チェックポイントデータベース２７０に記憶されたチェックポイント情報から，ユーザを巡回させるチェックポイントを選択して巡回情報を生成し，利用者端末３００に送信する（Ｓ２０５）。巡回情報は，例えばチェックポイントデータベース２７０に記憶されたチェックポイント情報をランダムに，所定の数だけ選択してもよく，あるいは，スタンプラリー主催者に，ユーザを巡回させたいチェックポイントを任意の数だけ選択させるようにしてもよい。そして，生成された巡回情報は，巡回情報データベース２６０に記憶されるとともに，利用者端末３００へ送信される。
【００７２】
巡回情報を受信した利用者端末３００は，例えば利用者端末３００の表示部３３１に巡回情報を表示する（Ｓ２０７）。ユーザは，利用者端末３００の表示部３３１に表示された巡回情報から，巡回するチェックポイントを選択し，そのチェックポイントを示すチェックポイント情報の送信を巡回認証サーバ２００に要求する（Ｓ２０９）。このとき，チェックポイント情報の要求の際に巡回情報サーバ２００へ送信される情報は，ユーザＩＤおよび選択したチェックポイントである。
【００７３】
チェックポイント情報の要求を受けた巡回認証サーバ２００は，チェックポイントデータベース２７０に記憶されたチェックポイント情報を利用者端末３００に送信する（Ｓ２１１）。ステップＳ２１１において，巡回認証サーバ２００は，まず，ユーザＩＤおよび選択したチェックポイントに基づいて，チェックポイント情報を取得しようとしているチェックポイントＩＤを，巡回情報データベース２６０から取得する。そして，チェックポイントＩＤに関連付けられたチェックポイント情報を，チェックポイントデータベース２７０から取得する。このとき，取得するチェックポイント情報は，例えば，チェックポイント情報の送信要求を受けた日時と近いデータを選択して取得することができる。このように巡回認証サーバ２００はチェックポイント情報を取得し，利用者端末３００へ送信する。なお，ステップＳ２０９〜Ｓ２１１の処理は，省略可能である。
【００７４】
その後，チェックポイント情報を受信した利用者端末３００は，チェックポイント情報をユーザに提示する（Ｓ２１３）。ユーザは，提示されたチェックポイント情報を頼りにチェックポイントを探す。
【００７５】
次いで，ユーザは，チェックポイントに到達すると（Ｓ２１５），チェックポイントに到達したことを証明するために，認証情報を取得して巡回認証サーバ２００へ送信する（Ｓ２１７）。本実施形態では，利用者端末３００のカメラ３６０により撮像した画像を認証情報として取得する。このとき，ユーザは，利用者端末３００の表示部３３１に表示された画像とできるだけ類似する画像を撮像する。撮像した画像は，例えば，スタンプラリー主催者によって指定されたメールアドレスへ送信することにより，巡回認証サーバ２００の巡回情報認証部２８０に引き渡される。
【００７６】
利用者端末３００により撮像された画像を受信した巡回情報認証部２８０は，チェックポイントデータベース２７０に記憶された複数の画像を参照し，受信した画像がチェックポイント周辺で撮影されたものか否かを判定する（Ｓ２１９）。判定は，既存の画像のパターンマッチング等を用いて行われ，例えば，受信した画像とチェックポイントデータベース２７０に記憶された画像との類似度を算出し，算出された類似度が所定の大きさ以上であれば，一致すると判定することができる。このとき，例えば時間帯や天候等によって，取得した画像が，チェックポイント情報として提示した画像とは見え方が異なる可能性もあるため，複数の画像と比較して一致するか否か判定することが望ましい。
【００７７】
そして，チェックポイントデータベース２７０に記憶された画像と利用者端末３００により撮像した画像とが一致すると判定された場合には，チェックポイントに到達したことが認証され，一致しなかった場合には，チェックポイントに到達したとは認証されない（Ｓ２２１）。
【００７８】
ステップＳ２２１において，チェックポイント情報に到達したと認証された場合，巡回認証サーバ２００は，チェックポイントに到達したとの内容を巡回情報データベース２６０に反映する（Ｓ２２３）。その後，巡回認証サーバ２００は，認証結果を利用者端末３００へ送信する（Ｓ２２５）。認証結果は，利用者端末３００の表示部３３１やスピーカー３３３により通知することができる。これにより，利用者端末３００は，チェックポイントに到達したことを認識できる。
【００７９】
以上，第２の実施形態にかかる巡回認証システムの構成と，これを用いた巡回認証処理について説明した。かかる構成により，予めチェックポイントを設置せずとも，常時設置されたカメラやマイク等の情報収集装置からチェックポイント情報を取得して，スタンプラリーシステムを構築し，実施することができる。また，チェックポイントの変更・増減や，ユーザによってチェックポイントを変更させることも可能である。さらに，映像や音声をヒントにして場所を探すという楽しみを付加することができる。そして，第２の実施形態によれば，画像を認証情報として用いるため，予め取得したチェックポイントの映像を用いて認証処理を行うことが可能である。
【００８０】
（第３の実施形態）
次に，図９および図１０に基づいて，本発明の第３の実施形態にかかる巡回認証システムについて説明する。本実施形態にかかる巡回認証システムでは，利用者端末３００に内蔵もしくは付加したマイク３７０から取得した音声を認証情報とする点で，第１の実施形態にかかる巡回認証システムと相違する。そこで，以下では，第１の実施形態との相違点について主に説明する。なお，図９は，本実施形態にかかる巡回認証システムの構成を示すブロック図である。図１０は，本実施形態にかかる巡回認証処理を示すフローチャートである。
【００８１】
まず，図９に基づいて，本実施形態にかかる巡回認証システムの構成について説明する。なお，第１の実施形態にかかる情報収集装置１００，巡回認証サーバ２００，利用者端末３００と同様の機能を有するものについては，同一の符号を付しており，説明を省略する。
【００８２】
情報収集装置１００は，カメラ１１０と，マイク１２０と，チェックポイント情報生成部１３０と，チェックポイント情報送信部１４０とを備える。本実施形態にかかる巡回認証システムでは，上述したように，利用者端末３００のマイク３７０から取得した音声を認証情報とするため，第１の実施形態のように認証情報を記憶するＩＣタグ１５０を設ける必要はない。
【００８３】
巡回認証サーバ２００は，チェックポイント情報受信部２１０と，巡回情報生成部２２０と，巡回情報送受信部２３０と，認証情報送受信部２４０と，巡回情報認証部２９０と，巡回情報データベース２６０と，チェックポイントデータベース２７０とを備える。
【００８４】
チェックポイントデータベース２７０には，第１の実施形態と同様，各チェックポイントにおいて情報収集装置１００により取得したチェックポイント情報が記憶される。また，巡回情報認証部２９０は，ユーザがチェックポイントに到達したことを認証するために，認証情報の照合を行う機能部である。本実施形態にかかる巡回情報認証部２８０は，利用者端末３００により取得した音声と，情報収集装置１００により取得した現時点の音声と比較することにより，チェックポイントに到達したか否かを判定する。
【００８５】
利用者端末３００は，巡回情報送受信部３１０と，制御部３２０と，表示部３３１と，スピーカー３３３と，操作部３３５と，マイク３７０と，認証情報送受信部３５０とを備える。本実施形態では，ユーザがチェックポイントに到達したことを証明するための認証情報として，利用者端末３００により取得した音声を用いるため，マイク３７０を備えている。
【００８６】
次に，図１０に基づいて，本実施形態にかかる巡回認証処理について説明する。なお，第１の実施形態にかかる巡回認証処理と同様の処理を行う工程については，詳細な説明を省略する。
【００８７】
本実施形態にかかる巡回認証処理では，図１０に示すように，まず，スタンプラリーの各チェックポイントにおいて，情報収集装置１００によりチェックポイントを示すチェックポイント情報が取得され，巡回認証サーバ２００に送信される（Ｓ３０１）。チェックポイント情報は，所定の時間ごとに取得されるものとする。そして，チェックポイント情報を受信した巡回認証サーバ２００は，チェックポイントデータベース２７０に，受信したチェックポイント情報を記憶する（Ｓ３０３）。
【００８８】
次いで，巡回認証サーバ２００は，チェックポイントデータベース２７０に記憶されたチェックポイント情報から，ユーザを巡回させるチェックポイントを選択して巡回情報を生成し，利用者端末３００に送信する（Ｓ３０５）。巡回情報は，例えばチェックポイントデータベース２７０に記憶されたチェックポイント情報をランダムに，所定の数だけ選択してもよく，あるいは，スタンプラリー主催者に，ユーザを巡回させたいチェックポイントを任意の数だけ選択させるようにしてもよい。そして，生成された巡回情報は，巡回情報データベース２６０に記憶するとともに，利用者端末３００へ送信される。
【００８９】
巡回情報を受信した利用者端末３００は，例えば利用者端末３００の表示部３３１に巡回情報を表示する（Ｓ３０７）。ユーザは，利用者端末３００の表示部３３１に表示された巡回情報から，巡回するチェックポイントを選択し，そのチェックポイントを示すチェックポイント情報の送信を巡回認証サーバ２００に要求する（Ｓ３０９）。このとき，チェックポイント情報の要求の際に巡回情報サーバ２００へ送信される情報は，ユーザＩＤおよび選択したチェックポイントである。
【００９０】
チェックポイント情報の要求を受けた巡回認証サーバ２００は，チェックポイントデータベース２７０に記憶されたチェックポイント情報を利用者端末３００に送信する（Ｓ３１１）。ステップＳ３１１において，巡回認証サーバ２００は，まず，ユーザＩＤおよび選択したチェックポイントに基づいて，チェックポイント情報を取得しようとしているチェックポイントＩＤを，巡回情報データベース２６０から取得する。そして，チェックポイントＩＤに関連付けられたチェックポイント情報を，チェックポイントデータベース２７０から取得する。このように巡回認証サーバ２００はチェックポイント情報を取得し，利用者端末３００へ送信する。なお，ステップＳ３０９〜Ｓ３１１の処理は省略可能である。
【００９１】
その後，チェックポイント情報を受信した利用者端末３００は，チェックポイント情報をユーザに提示する（Ｓ３１３）。ユーザは，提示されたチェックポイント情報を頼りにチェックポイントを探す。
【００９２】
次いで，ユーザは，チェックポイントに到達すると（Ｓ３１５），チェックポイントに到達したことを証明するために，認証情報を取得して巡回認証サーバ２００へ送信する（Ｓ３１７）。本実施形態では，利用者端末３００のマイク３７０により取得した音声を認証情報とする。取得した音声データは，図示しない通信手段により，巡回認証サーバ２００の巡回情報認証部２９０に引き渡される。
【００９３】
利用者端末３００により取得した音声データを受信した巡回情報認証部２９０は，受信した音声がチェックポイント周辺で取得されたものか否かを判定する（Ｓ３１９）。ここで，音声データを受信した巡回認証サーバ２００は，情報収集装置１００から現時点のチェックポイントにおける音声を取得する。そして，利用者端末３００が取得した音声データと，現時点のチェックポイントにおける音声とを比較する。この比較は，例えば，波形や音声スペクトル成分を比較することにより行うことができる。そして，利用者端末３００が取得した音声データと，現時点のチェックポイントにおける音声との類似度を算出し，算出された類似度が所定の大きさ以上であれば，一致すると判定することができる。
【００９４】
そして，現時点のチェックポイントにおける音声と利用者端末３００により取得した音声データとが一致すると判定された場合には，チェックポイントに到達したことが認証され，一致しなかった場合には，チェックポイントに到達したとは認証されない（Ｓ３２１）。
【００９５】
ステップＳ３２１において，チェックポイント情報に到達したと認証された場合，巡回認証サーバ２００は，チェックポイントに到達したとの内容を巡回情報データベース２６０に反映する（Ｓ３２３）。その後，巡回認証サーバ２００は，認証結果を利用者端末３００へ送信する（Ｓ３２５）。認証結果は，利用者端末３００の表示部３３１やスピーカー３３３により通知することができる。これにより，利用者端末３００は，チェックポイントに到達したことを認識できる。
【００９６】
以上，第３の実施形態にかかる巡回認証システムの構成と，これを用いた巡回認証処理について説明した。かかる構成により，予めチェックポイントを設置せずとも，常時設置されたカメラやマイク等の情報収集装置からチェックポイント情報を取得して，スタンプラリーシステムを構築し，実施することができる。また，チェックポイントの変更・増減や，ユーザによってチェックポイントを変更させることも可能である。さらに，映像や音声をヒントにして場所を探すという楽しみを付加することができる。そして，第３の実施形態によれば，音声を認証情報として用いるため，チェックポイントにマイクを設置しておくことにより，利用者端末により取得した音声と比較するための音声をリアルタイムで取得することができ，より正確に認証処理を行うことが可能である。
【００９７】
また，第２の実施形態における巡回認証システムでは，時間に関係なく，特定の場所に到達したことの巡回認証を行うことができ，第３の実施形態では，特定の時間に特定の場所に到達したことの巡回認証を行うことができる。
【００９８】
（変形例）
次に，図１１および図１２に基づいて，第１〜３の実施形態にかかる巡回認証システムの変形例について説明する。第１〜第３の実施形態では，巡回認証システムをスタンプラリーに適用したが，変形例では，ビンゴゲームに適用した例を示す。ここで，図１１は，巡回情報の例としてビンゴカードを示す説明図であって，（ａ）はビンゴゲーム開始時のビンゴカードの表示例であって，（ｂ）は認証済の情報があるビンゴカードの表示例である。図１２は，本変形例の巡回認証処理を示すフローチャートである。なお，本変形例では，巡回認証システムの構成は，第１の実施形態にかかる巡回情報システムの構成（図２）と同様であるとして説明するが，第２および第３の実施形態の構成であってもよい。
【００９９】
巡回情報システムの変形例では，例えば商店街やデパート，空港ビル等の店舗等をユーザに巡回させるため，その巡回情報をビンゴゲームのビンゴカードとして提示する。ビンゴカードは，例えば図１１（ａ）に示すようなマス目状に配置された画像からなる。ユーザは，ビンゴカードに表示された場所（目的地）を巡回して認証を行うことにより，ビンゴカードのマス目がパンチされた状態を作成しながら，縦，横，斜めのいずれか１列をパンチされた状態を作ってビンゴさせる。
【０１００】
図１２に示すように，まず，巡回認証サーバは，巡回情報として，ビンゴカードを生成する（Ｓ４０１）。ビンゴカードは，例えば図１１（ａ）に示すような３×３枚の画像からなり，ビンゴカードを構成する画像は，例えば店舗の看板や広告等を用いることができる。生成されたビンゴカードは，利用者端末に送信される（Ｓ４０３）。
【０１０１】
次いで，ビンゴカードを受信した利用者端末は，表示部にビンゴカードを表示してユーザに提示する（Ｓ４０５）。ユーザは，ビンゴカードに表示された画像が示す店舗や広告を探して，ビンゴカードのマス目をパンチしていく。このとき，マス目を構成する画像の詳細が必要な場合には，操作部３３５によりマス目を選択して，巡回認証サーバに詳細情報を要求する（Ｓ４０７）。詳細状況の要求に応じて，巡回認証サーバは，利用者端末に画像の詳細情報を送信する（Ｓ４０９）。なお，ステップＳ４０７およびＳ４０９の処理は，省略してもよい。
【０１０２】
ユーザは目的地に到達すると（Ｓ４１１），目的地情報を取得して巡回認証サーバに送信する（Ｓ４１３）。ここで，目的地情報は，例えば，各目的地に付与された目的地ＩＤとすることができ，第１の実施形態のように，各目的地に設置されたＩＣタグを読み取ることにより目的地ＩＤを取得することができる。また，第２の実施形態のように，利用者端末により撮像した画像を目的地情報としてもよく，マス目に表示された画像と類似する画像を利用者端末のカメラを用いて撮像することにより取得することができる。
【０１０３】
利用者端末から目的地情報を取得した巡回認証サーバは，取得した目的地情報の認証を行い，ユーザが目的地に到達したか否かを判定する（Ｓ４１５）。目的地情報の認証は，巡回認証サーバに記憶された目的地情報と照合することにより行うことができる。これらの目的地情報が一致した場合，ユーザが目的地に到達したと判断して認証され，巡回情報であるビンゴカードの情報が更新される（Ｓ４１７）。
【０１０４】
その後，目的地情報の認証結果が利用者端末へ送信される（Ｓ４１９）。ステップＳ４１９では，目的地情報が認証された場合には，ビンゴカードのマス目がパンチされた状態となるように，例えば認証された目的地情報に対応するマス目をマーキングする指示が，巡回情報サーバから利用者端末へ送信される。この指示により，利用者端末に表示されるビンゴカードは，図１１（ｂ）に示すような状態となり，巡回して認証されたマス目がわかる。一方，認証されなかった場合には，その旨が表示部またはスピーカーを介してユーザに通知される。
【０１０５】
以上，巡回認証システムの変形例について説明した。かかる構成によれば，既存の情報を利用してビンゴゲームを構築して実施することができ，ビンゴカードの変更・増減も容易に行うことができる。さらに，画像をヒントにして場所を探すという楽しみを付加することができる。
【０１０６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１０７】
例えば，上記実施形態および変形例において，認証処理は巡回認証サーバで行われたが，本発明はかかる例に限定されず，巡回情報認証部を利用者端末に設けて，利用者端末で認証処理を行ってもよい。
【０１０８】
また，上記第２および第３の実施形態にかかる巡回認証システムでは，認証情報を記憶したＩＣタグを設けず，映像または音声を認証情報として使用したが，本発明はかかる例に限定されない。例えば，第２および第３の実施形態にかかる巡回認証システムにおいて，各チェックポイントに認証情報（例えば，チェックポイントＩＤ）を記憶するＩＣタグを備え，かつ利用者端末にＩＣタグから認証情報を読み取る認証情報読取部を備えることもできる。この場合，ＩＣタグに記憶された認証情報が一致するか否か，および，映像または音声の類似度が所定の値以上であるか否かを判定し，認証の可否が決定される。
【産業上の利用可能性】
【０１０９】
本発明は，巡回認証システムに適用可能であり，特に，画像や音声を利用した巡回認証システムに適用可能である。
【図面の簡単な説明】
【０１１０】
【図１】本発明の第１の実施形態にかかる巡回認証システムの概略構成を示す説明図である。
【図２】同実施形態にかかる巡回認証システムの構成を示すブロック図である。
【図３】巡回情報データベースの記憶内容を示す説明図である。
【図４】チェックポイントデータベースの記憶内容を示す説明図である。
【図５】同実施形態にかかる巡回認証処理を示すフローチャートである。
【図６】利用者端末の表示部に表示される表示画面の例であって，（ａ）は巡回情報の表示例であり，（ｂ）はチェックポイント情報の表示例である。
【図７】本発明の第２の実施形態にかかる巡回認証システムの構成を示すブロック図である。
【図８】同実施形態にかかる巡回認証処理を示すフローチャートである。
【図９】本発明の第３の実施形態にかかる巡回認証システムの構成を示すブロック図である。
【図１０】同実施形態にかかる巡回認証処理を示すフローチャートである。
【図１１】巡回情報の変形例としてビンゴカードを示す説明図であって，（ａ）はビンゴゲーム開始時のビンゴカードの表示例であり，（ｂ）は認証済の情報があるビンゴカードの表示例である。
【図１２】第１〜第３の実施形態の巡回認証処理の変形例を示すフローチャートである。
【符号の説明】
【０１１１】
１００                  情報収集装置
１１０，３６０          カメラ
１２０，３７０          マイク
１３０                  チェックポイント情報生成部
１４０                  チェックポイント情報送信部
１５０                  ＩＣタグ
２００                  巡回情報サーバ
２１０                  チェックポイント情報受信部
２２０                  巡回情報生成部
２３０                  巡回情報送受信部（巡回情報サーバ）
２４０                  認証情報送受信部（巡回情報サーバ）
２５０，２８０，２９０  巡回情報認証部
２６０                  巡回情報データベース
２７０                  チェックポイントデータベース
３００                  利用者端末
３１０                  巡回情報送受信部（利用者端末）
３２０                  制御部
３３１                  表示部
３３３                  スピーカー
３３５                  操作部
３４０                  認証情報読取部
３５０                  認証情報送受信部（利用者端末）
【図１】
2007293534.tif 000003
【図２】
2007293534.tif 000004
【図３】
2007293534.tif 000005
【図４】
2007293534.tif 000006
【図５】
2007293534.tif 000007
【図６】
2007293534.tif 000008
【図７】
2007293534.tif 000009
【図８】
2007293534.tif 000010
【図９】
2007293534.tif 000011
【図１０】
2007293534.tif 000012
【図１１】
2007293534.tif 000013
【図１２】
2007293534.tif 000014